(57)【要約】【課題】  原稿サイズ検知の際に、原稿に照射する光源からの照射光をコンタクトガラスを介して外部に漏らさないようにした画像読取装置及び画像形成装置を提供することを目的とする。【解決手段】  原稿載置面に載置された原稿に光を当てて得られた画像データから前記原稿のサイズを検知する原稿サイズ検知手段を有する画像読取装置であって、前記原稿に光を照射する光源と、前記光源から照射された光が原稿載置面から外部に漏れるのを遮断する光遮断手段とを有し、前記光源は、前記画像データを獲得するために、前記原稿に光を照射する前は、前記光遮断手段の略直下に配置されている。【選択図】  図４
2006345176.tif 000002
【特許請求の範囲】
【請求項１】
原稿載置面に載置された原稿に光を当てて得られた画像データから前記原稿のサイズを検知する原稿サイズ検知手段を有する画像読取装置であって、
前記原稿に光を照射する光源と、
前記光源から照射された光が原稿載置面から外部に漏れるのを遮断する光遮断手段とを有し、
原稿のサイズを検知するための前記画像データの獲得において、前記原稿に光を照射する前、前記光源は、前記光遮断手段の略直下に配置されていることを特徴とする画像読取装置。
【請求項２】
原稿載置面に載置された原稿に光を当てて得られた画像データから前記原稿のサイズを検知する原稿サイズ検知手段を有する画像読取装置であって、
前記原稿に光を照射する光源と、
前記光源から照射された光が原稿載置面から外部に漏れるのを遮断する光遮断手段とを有し、
前記原稿のサイズを検知するための前記画像データの獲得において、前記光源は、所定位置から前記光遮断手段の略直下まで消灯状態で移動し、その後、前記光遮断手段の略直下で点灯を開始することを特徴とする画像読取装置。
【請求項３】
前記画像形成装置の読取り操作を設定する操作設定手段と、
前記操作設定手段による読取り操作が設定されたことを検知する操作設定検知手段を有し、
前記操作設定検知手段が読取り操作が設定されたことを検知したとき、前記光源は、前記光遮断手段の略直下に移動されることを特徴とする請求項１又は２記載の画像読取装置。
【請求項４】
前記照射手段による前記原稿の読取りが終了したとき、前記光源は、前記光遮断手段の略直下に移動されることを特徴とする請求項１又は２記載の画像読取装置。
【請求項５】
低消費電力の状態から通常の消費電力の状態に移行した際、前記光源は、前記光遮断手段の略直下に移動されることを特徴とする請求項１又は２記載の画像読取装置。
【請求項６】
前記原稿載置面に、前記原稿が載置されたことを検知する原稿載置検知手段を有し、
前記原稿載置検知手段が前記原稿が載置されたことを検知したとき、前記光源は、前記光遮断手段の略直下に移動されることを特徴とする請求項１又は２記載の画像読取装置。
【請求項７】
前記光源遮断手段は、シェーディング補正用読取りレベル基準板であることを特徴とする請求項１ないし６いずれか一項に記載の画像読取装置。
【請求項８】
請求項１ないし７いずれか一項に記載の画像読取装置を備えた画像形成装置。
【発明の詳細な説明】
【技術分野】
【０００１】
本発明は、原稿載置面に載置された原稿に光を当てて得られた画像データから原稿のサイズを検知する画像読取装置及びそれを備えた画像形成装置に関する。
【背景技術】
【０００２】
従来より、コンタクトガラス（原稿載置面）に載置された原稿の画像を読取る複合機等の画像形成装置において、コンタクトガラスに載置された原稿のサイズを検知する技術が知られている。
【０００３】
このような画像形成装置の原稿サイズ検知の例（特許文献１、特許文献２及び特許文献３参照）を説明する。
【０００４】
図１に画像形成装置の構成例の図を示す。図１の画像形成装置１００は、読取りレベル基準板１０１、キャリッジ１０２、ホームポジションセンサ１０４、光源１０５、コンタクトガラス１０６、レンズ１０７、CCD（Charge Coupled Device）１０８、赤外線センサ１０９、原稿１１０、モータ１１１、圧板１１２、開閉検出スイッチ１１３、第１ミラー１１４、第２ミラー１１５、第３ミラー１１６及びスケール１１７から構成されている。シェーディング補正用読取りレベル基準板１０１は、シェーディング補正用の白レベル基準データ取得のための基準白板である。キャリッジ１０２は、光源１０５を搭載して移動する。ホームポジションセンサ１０４は、キャリッジの位置の基準を検知するセンサである。光源１０５は、原稿に光を照射するための光源である。コンタクトガラス１０６は、原稿を載置する台である。レンズ１０７は、原稿からの反射光をCCD１０８に結像する。CCD１０８は、結像された原稿からの反射光を電気信号に光電変換する。赤外線センサ１０９は、原稿が載置されているか否かを検知するセンサである。原稿１１０は、読取られる原稿である。モータ１１１は、キャリッジを移動させるための駆動装置である。圧板１１２は、原稿１１０を覆う原稿カバーである。開閉検出スイッチ１１３は、圧板１１２の開閉を検出する検出用のスイッチである。
【０００５】
図２に、画像読取り装置の斜視図を示す。図２の画像読取り装置２００は、ランプ（光源）２、第１ミラー３、第１キャリッジ６、第２キャリッジ７、駆動ワイヤ１１、プーリ１２、ホームポジションセンサ１３、駆動軸１４、ワイヤプーリ１５、タイミングプーリ１６、タイミングベルト１７及びモータ１８から構成されている。ランプ２及び第１ミラー３を有する第1キャリッジ6は、駆動ワイヤ１１に取り付けられる。また、第２ミラー及び第３ミラーを有する第２キャリッジ７は、プーリ１２に駆動ワイヤ１１が巻きつけられる。駆動軸１４に繋がれたワイヤプーリ１５に駆動ワイヤ１１を巻きつけ、タイミングプーリ１６とタイミングベルト１７によって、モータ１８の駆動を伝達する。第1キャリッジ６の一端が、ホームポジションセンサ１３を横切ってからある所定距離をリターンさせた位置をホームポジションとする。
【０００６】
コンタクトガラス１０６の下方には、コンタクトガラス１０６に載置された原稿１１０を照射するための光源である光源１０５が備えられており、原稿１１０の読取り前においては、この光源１０５はホームポジション（図１の位置）にある。コンタクトガラス１０６には圧板の開閉を検出する開閉検出スイッチ１１３が備えられており、原稿１１０がコンタクトガラス１０６に載置されて、原稿１１０を覆うための圧板１１２が閉じられることが開閉検出スイッチ１１３により検出されると、圧板１１２が閉じ始めてから圧板１１２が原稿１１０に接触するまでの間に、光源１０５が発光されて原稿１１０及びコンタクトガラス１０６に光が照射される。原稿１１０に照射された光は原稿１１０により反射されるが、原稿１１０以外の部分に照射された光は外部へと放射される。原稿１１０によって反射された光は、CCD１０８に入射されて原稿画像の濃淡に対応する画像データに変換される。一方、原稿のない部分は光が反射されず、黒画像のデータがCCDから出力される。これらのCCDからの出力データに基づいて、原稿サイズを検知する。
【特許文献１】特開平１０−２５７２５５公報
【特許文献２】特開２０００−１３８７９８公報
【特許文献３】特開２００３−１９８８０９公報
【発明の開示】
【発明が解決しようとする課題】
【０００７】
しかしながら、従来技術での原稿サイズ検知は、原稿カバーが閉じている場合、光源を照射しても原稿と原稿以外との区別がつかないので、原稿カバーが開いた状態で光源を発光させなければならない。
【０００８】
図３は、原稿カバーが開いた状態で光源を発光させた状況を説明する図である。スケール３０２の下側には、シェーディング補正用読取りレベル基準板３０３があり、これらの右側に、コンタクトガラス３０１がある。光源３０４は、コンタクトガラス３０１の下方に位置している。また、サイズ検知であっても、光源の光量を安定させるために、所定の時間、光源を発光する必要がある。つまり、光源からの照射光が、所定時間、原稿カバーで遮断されないことになる。この遮断されない照射光により、画像形成装置近傍に位置するユーザは、照射光を浴びることとなり、不快感、例えば、目に負荷を与える等の悪影響を受けるといった問題がある。
【０００９】
本発明は、上記の点に鑑みなされたもので、原稿サイズ検知の際に、原稿に照射する光源からの照射光をコンタクトガラスを介して外部に漏らさないようにした画像読取装置及び画像形成装置を提供することを目的とする。
【課題を解決するための手段】
【００１０】
上記目的を達成するために、本発明の画像読取装置は、原稿載置面に載置された原稿に光を当てて得られた画像データから前記原稿のサイズを検知する原稿サイズ検知手段を有する画像形成装置であって、前記原稿に光を照射する光源と、前記光源から照射された光が原稿載置面から外部に漏れるのを遮断する光遮断手段とを有し、原稿のサイズを検知するための前記画像データの獲得において、前記原稿に光を照射する前、前記光源は、前記光遮断手段の略直下に配置されているように構成することができる。
【００１１】
上記目的を達成するために、本発明の画像読取装置は、原稿載置面に載置された原稿に光を当てて得られた画像データから前記原稿のサイズを検知する原稿サイズ検知手段を有する画像形成装置であって、前記原稿に光を照射する光源と、前記光源から照射された光が原稿載置面から外部に漏れるのを遮断する光遮断手段とを有し、前記原稿のサイズを検知するための前記画像データの獲得において、前記光源は、所定位置から前記光遮断手段の略直下まで消灯状態で移動し、その後、前記光遮断手段の略直下で点灯を開始するように構成することができる。
【００１２】
なお、所定位置とは、原稿読取後の位置、ホームポジションの位置等である。
【００１３】
また、上記目的を達成するために、本発明の画像読取装置は、前記画像形成装置の読取り操作を設定する操作設定手段と、前記操作設定手段による読取り操作が設定されたことを検知する操作設定検知手段を有し、前記操作設定検知手段が読取り操作が設定されたことを検知したとき、前記光源は、前記光遮断手段の略直下に移動されるように構成することができる。
【００１４】
また、上記目的を達成するために、本発明の画像読取装置は、前記照射手段による前記原稿の読取りが終了したとき、前記光源は、前記光遮断手段の略直下に移動されるように構成することができる。
【００１５】
また、上記目的を達成するために、本発明の画像読取装置は、低消費電力の状態から通常の消費電力の状態に移行した際、前記光源は、前記光遮断手段の略直下に移動されるように構成することができる。
【００１６】
また、上記目的を達成するために、本発明の画像読取装置は、前記原稿載置面に、前記原稿が載置されたことを検知する原稿載置検知手段を有し、前記原稿載置検知手段が前記原稿が載置されたことを検知したとき、前記光源は、前記光遮断手段の略直下に移動されるように構成することができる。
【００１７】
また、上記目的を達成するために、本発明の画像読取装置は、前記光源遮断手段は、シェーディング補正用読取りレベル基準板であるように構成することができる。
【発明の効果】
【００１８】
本発明によれば、原稿サイズ検知の際に、原稿に照射する光源からの照射光をコンタクトガラスを介して外部に漏らさないことができる。
【発明を実施するための最良の形態】
【００１９】
次に、本発明の実施の形態について、図面と共に説明する。
【実施例１】
【００２０】
本発明は、光源からの照射光が画像形成装置の外部に漏れないように、照射光を遮断する構成としていることが特徴である。
【００２１】
まず、図４に、本発明の画像形成装置の構成例のブロック図を示す。図４の画像形成装置４００は、CPU（Central Processing Unit ）４０１、RAM（Random Access Memory）４０２、操作部４０３、スキャナ４０４、IPU４０５及びプリンタ４０６から構成されている。ＣＰＵ４０１は、原稿サイズ検知部４０１１、消費電力状態検知部４０１２及び操作設定検知部４０１３の機能を有している。コンタクトガラスに原稿をセットして操作部４０３のスタートキーを押下すると、スキャナ４０４にて、セットされた原稿を読取り、IPU４０５によりこの原稿の画像データの画像処理を行い、プリンタにこの画像データを出力して、画像データの印刷された用紙の排出が行われる。スキャナ４０４、IPU４０５、プリンタ４０６に必要なパラメータは、RAM４０２に記憶されており、CPU４０１により、これらの各デバイスに設定される。
【００２２】
図５に、操作部の構成例の図を示す。図５の操作部５００は、アプリケーション選択キー５０１、表示部５０５、テンキー５０６、予熱キー５１０、電源キー５１１から構成されている。アプリケーション選択キー５０１は、コピー５２２、スキャナ５２３、プリンタ５２４及びFAX５２５の機能のうち所望の機能を選択する入力キーである。表示部５０５は、画像形成装置の操作状態、操作入力等を表示する。テンキー５０６は、読取り枚数等を設定する入力キーである。予熱キー５１０は、予熱を設定する設定キーである。電源５１１は、画像形成装置の電源入力用のキーである。
【００２３】
図６に、IPUの構成例のブロック図を示す。図６のIPUは、画像処理モジュール６０１、メモリコントロール６０２及び複数ラインメモリ６０３を有する。メモリコントロール６０２は、複数ラインメモリ６０３を制御し、ＣＰＵ４０１から複数ラインメモリ６０３に記憶されている画像データの読み出し／書き込みができる。原稿サイズ検知において、スキャナから出力された原稿読取りデータを、モジュール６０１により画像処理を行い、画像処理モジュール６０１に接続された複数ラインメモリ６０３にその画像データを蓄える。
【００２４】
図７に、本発明の原稿サイズ検知の動作を説明する図を示す。本発明の光源を読取りレベル基準板の直下に移動させて原稿サイズ検知する例の動作を図１と共に説明する。ステップS９０１で、モータ１１１を駆動させ、光源１０５が搭載されたキャリッジ１０２を読取りレベル基準板１０１の下に移動させる。図８は、光源１０５が搭載されたキャリッジ１０２を読取りレベル基準板１０１の下に移動させた後の図である。次に、ステップS９０２で、光源１０５を点灯し、サイズ検知のために原稿を照射し、ランプの光量が安定するまで待機する。尚、ランプの照射光は、読取りレベル基準板によって遮断され、外部には漏れない。次に、ステップS９０３で、光源１０５が搭載されたキャリッジ１０２を移動させて原稿を読取る。次に、ステップS９０４で、光源１０５を消灯して原稿の照射を終了する。読取られた画像データは、CPU４０１、画像制御モジュール６０１、メモリコントローラ６０２の制御により、複数ラインメモリ６０３に格納される。次に、ステップS９０５で、複数ラインメモリ６０３に記憶された画像データを読み出す。尚、この画像データの読み出しの詳細な説明は後述する。次に、ステップS９０６で、ステップS９０５において読み出された画像データを解析して原稿サイズを判定する。尚、この原稿サイズ判定の詳細な説明は後述する。
【００２５】
ここで、ステップS９０５における画像データの読み出しについて説明する。図９に、メモリコントロール１００１を中心としたCPU１００２、画像処理モジュール１００３及び複数ラインメモリ１００４との間の信号線の入出力関係を示す。画像処理モジュール１００３から出力される信号XLSYNCは、主走査同期信号で、主走査方向のデータの読出し/書き込みの基準となる信号であり、メモリコントロール１００１に入力される。画像処理モジュール１００３から出力される信号XFSYNCは、副走査方向の同期信号であり、副走査方向のデータの読出し/書き込みの基準となる信号であり、メモリコントロール１００１に入力される。画像処理モジュール１００３から出力される信号PCLKは、画素クロック信号であり、メモリコントロール１００１に入力される。メモリコントロール１００１から出力される信号XWRSTは、メモリへの書き込み前にそのメモリのリセットを行う信号であり、複数ラインメモリ１００４に入力される。メモリコントロール１００１から出力される信号XWは、メモリへの書き込み信号であり、複数ラインメモリ１００４に入力される。また、CPU１００２は、メモリライト領域を示すための主走査スタート、主走査幅、副走査スタート及び副走査幅の４つのパラメータをメモリコントロール１００１に出力する。
【００２６】
図１０に、副走査方向のタイミングチャートを示す。信号XFSYNCを基準として信号XWRSTが発生し、複数ラインメモリ１００４をリセットする。メモリへのライトが許可される状態となると、信号XW（副）は、CPUから出力されるパラメータである副走査スタート及び幅に基づき副幅１（ｔ２−ｔ３）及び副幅２（ｔ４−ｔ５）の期間、複数ラインメモリに、複数ラインメモリ１００４に格納されたデータの書き込みを行うライト信号をつくる。
【００２７】
図１１に、主走査方向のタイミングチャートを示す。信号XＬSYNCを基準として信号XWRSTが発生し、複数ラインメモリ１００４をリセットする。メモリへのライトが許可される状態となると、信号XW（主）は、CPUから出力されるパラメータである主走査スタート及び幅に基づき主幅１（ｔ２−ｔ３）及び主幅２（ｔ４−ｔ５）の期間、複数ラインメモリに、複数ラインメモリ１００４に格納されたデータの書き込みを行うライト信号をつくる。そして、これらの主走査及び副走査の波形に基づき、図１２に示すような複数の２次元のパッチデータ（斜線部分）を形成し、このデータを複数ラインメモリに書き込む。
【００２８】
図１４に、画像データの白黒判定の動作を説明する図を示す。CPU４０１は、まず、複数ラインメモリ１００４に格納されている図１２のパッチデータを順に（例えば、A→B→C→D）RAM６０４に読出し、読み出したパッチの濃度の平均値を求め２値化する。つまり、ステップS１５１で、１パッチ内の画素数を設定する。次に、ステップS１５２で、着目したパッチ（例えばパッチA）について、複数ラインメモリ１００４から１画素単位で読出しを行う。次に、ステップS１５３で、設定したN画素の累積算を行う。次に、ステップS１５５で、１パッチ内の平均値を求め、全パッチの平均値を算出するまで、ステップS１５１からステップS１５５までが繰り返される。
【００２９】
ところで、本発明の原稿サイズ検知の基本的なアルゴリズム、圧板が開いている時に、照射される反射光が原稿部分では白、原稿以外では黒となることを利用している。図１３は、この原稿サイズ検知の基本的なアルゴリズムを説明するためのグラフ図である。図１３のグラフは、横軸は時間ｔを、縦軸はパッチ画像の平均濃度を示している。一般的なTHは黒白判定の基準となる濃度である。THよりも明るい場合、原稿が存在し、THよりも暗い部分が原稿無しとして判定する。ところが、この場合は、地肌濃度が暗い原稿の場合、原稿部分の濃度がTHを超えず、原稿無しと誤判定してしまうことになる。そこで、本発明は、この誤判定を防ぐために、ステップS１５６として、T1、T2で読取った各パッチのPAT1、PAT２での濃度の差分値（AとB又はCとDの差分値又はAとＣ又はＢとDの差分値）を求め、この差分値がΔD以上の場合、THを超えない場合でも原稿の端であると判断することができる。
【００３０】
ここで、ステップS９０６における原稿サイズ判定について図１２及び図１５を用いて説明する。図１２に記述されているパッチデータの画像形成装置における配置例を図１５に示す。原稿の端は、原稿サイズの各規格サイズ付近に載置されることを前提に、パッチデータは原稿サイズの各規格サイズ付近に各々４個配置されている。原稿の端がこのパッチ上にある場合、パッチを形成する４つのパッチ間には、画像濃度の差があること利用して、この画像濃度差があるパッチに基づいて原稿サイズを検知している。
【００３１】
こうすることで、原稿サイズ検知において、原稿に照射する光源からの照射光を画像形成装置の外部に漏らさないことが可能となり、ユーザに対して悪影響を与えない画像形成装置を提供できる。
【実施例２】
【００３２】
本発明では、読取りレベル基準板の下に光源を移動させるため、原稿サイズ検知までに従来技術に比べて余分な時間を要することになる。そこで、この余分な時間を削減するため、ユーザが原稿読取りの設定を行ったことを認識した際に、光源を読取りレベル基準板の下に移動するという実施例を説明する。この場合、光源は、ホームポジションの位置から、レベル基準板の下に、消灯状態で移動する。
【００３３】
図１６に、実施例２として、ユーザが設定を行ったことを認識した際に、光源を読取りレベル基準板の直下に移動させて原稿サイズ検知する例の動作を図１、図５及び図６と共に説明する。
【００３４】
まず、ステップS１６１で、ユーザは、操作部５００のアプリケーション選択キー５０１、表示部５０５に表示されたタッチキー、読取り枚数設定キー５０６から原稿読み取り設定を行う。この設定により、操作部４０３からＣＰＵ４０１に、設定情報が伝達され、CPU４０１の操作設定検知部４０１３は、読取りの設定が行われたことを認識する。次に、ステップS１６２で、モータ１１１を駆動させ、光源１０５が搭載されたキャリッジ１０２を読取りレベル基準板１０１の下に移動させる。次に、図７の動作フローと同様にステップS１６３からステップS１６７へと進む。
【００３５】
また、本発明では、読取りレベル基準板の下に光源を移動させるため、原稿サイズ検知までに従来技術に比べて余分な時間を要するが、本実施例のようにユーザが原稿読取りの設定を行ったことを認識がした際に、光源を読取りレベル基準板の下に移動することにより、余分な処理時間を削減することができる。
【実施例３】
【００３６】
本発明では、読取りレベル基準板の下に光源を移動させるため、原稿サイズ検知までに従来技術に比べて余分な時間を要することになる。そこで、この余分な時間を削減するため、原稿読取りが終了した際に、光源を読取りレベル基準板の下に移動するという実施例を説明する。この場合、光源は、原稿読取りが終了した光源の位置から、レベル基準板の下に、消灯状態で移動する。
【００３７】
図１７に、実施例３として、原稿読取りが終了した際に、光源を読取りレベル基準板の直下に移動させて原稿サイズ検知する例の動作を図１と共に説明する。まず、ステップS１７１で、原稿の照射が開始しているかを確認する。原稿の照射がすでに開始されている場合、ステップS１７３に進み、原稿を読取る。一方、原稿の照射が開始していない場合、次のステップS１７２で、原稿への照射を開始する。次に、ステップS１７４で、原稿の照射を終了する。次に、ステップS１７５で、原稿照射用の光源１０５が搭載されたキャリッジ１０２を読取りレベル基準板１０１の下に移動させる。
【００３８】
本発明では、読取りレベル基準板の下に光源を移動させるため、原稿サイズ検知までに従来技術に比べて余分な時間を要するが、本実施例のように原稿読取りが終了する度に、光源を読取りレベル基準板の下に移動することにより、余分な処理時間を削減することができる。
【実施例４】
【００３９】
本発明では、読取りレベル基準板の下に光源を移動させるため、原稿サイズ検知までに従来技術に比べて余分な時間を要することになる。そこで、この余分な時間を削減するため、画像形成装置が低消費電力状態から通常状態へ移行した際に、光源を読取りレベル基準板の下に移動するという実施例を説明する。
【００４０】
実施例４として、画像形成装置が低消費電力状態から通常状態へ移行した際に、光源を読取りレベル基準板の直下に移動させて原稿サイズ検知する例の動作を図１、図５と共に説明する。画像形成装置が所定時間操作のない場合、予熱キー５１０が押下されると、画像形成装置は、通常の状態より消費電力が低い低消費電力状態に移行する。低消費電力状態では、操作部５００の表示部５０５の表示の消灯、スキャナ４０４、ＩＰＵ４０５、プロッタ４０６等への電力供給を一部停止する。この低消費電力状態を解除して通常の状態に移行させるには、電源キー５１１又は予熱キー５１０を再度押下する。低消費電力状態から通常の状態に移行すると、ＣＰＵ４０１の消費電力状態検知部４０１２がそれを検知し、ＣＰＵ４０１は、原稿照射用の光源１０５が搭載されたキャリッジ１０２を読取りレベル基準板１０１の下に移動させる。
【００４１】
本発明では、読取りレベル基準板の下に光源を移動させるため、原稿サイズ検知までに従来技術に比べて余分な時間を要するが、本実施例のように画像形成装置が低消費電力状態から通常状態へ移行した際に、光源を読取りレベル基準板の下に移動することにより、余分な処理時間を削減することができる。
【００４２】
なお、上記実施例では、消費電力検知部を有する場合について説明したが、消費電力検知部によらなくても、低消費電力の状態から通常の消費電力の状態への状態変化を知ることができれば、消費電力検知部は無くても良い。
【実施例５】
【００４３】
本発明では、読取りレベル基準板の下に光源を移動させるため、原稿サイズ検知までに従来技術に比べて余分な時間を要することになる。そこで、この余分な時間を削減するため、原稿が載置されたことを認識した際に、光源を読取りレベル基準板の下に移動するという実施例を説明する。
【００４４】
図１８に、実施例５として、原稿が載置されたことを認識した際に、光源を読取りレベル基準板の直下に移動させて原稿サイズ検知する例の動作を図１と共に説明する。
【００４５】
まず、ステップS１８１で、赤外線センサ１０９により、原稿がコンタクトガラス１０６に載置されたことを検知する。次に、ステップS１８２で、原稿が載置を検知すると、モータ１１１を駆動させ、光源１０５が搭載されたキャリッジ１０２を読取りレベル基準板１０１の下に移動させる。次に、図７の動作フローと同様にステップＳ１８３からステップＳ１８７へと進む。
【００４６】
本発明では、読取りレベル基準板の下に光源を移動させるため、原稿サイズ検知までに従来技術に比べて余分な時間を要するが、本実施例のように原稿が載置された際に、光源を読取りレベル基準板の下に移動することにより、余分な処理時間を削減することができる。
【００４７】
本発明は、具体的に開示された実施例に限定されるものではなく、特許請求の範囲から逸脱することなく、種々の変形や変更が可能である。
【図面の簡単な説明】
【００４８】
【図１】画像形成装置の構成例の図である。
【図２】画像読取り装置の構成例の図である。
【図３】原稿カバーが開いた状態で光源を発光させた状況を説明する図である。
【図４】本発明の画像形成装置の構成例のブロック図である。
【図５】操作部の構成例の図である。
【図６】IPUの構成例のブロック図である。
【図７】本発明の原稿サイズ検知の動作を説明する図である。
【図８】光源をシェーディング補正用読取りレベル基準板の下に移動させた後を示す図である。
【図９】メモリコントロールを説明する図である。
【図１０】副走査方向のタイミングチャートの図である。
【図１１】主走査方向のタイミングチャートの図である。
【図１２】パッチデータを説明する図である。
【図１３】原稿サイズ検知の基本的なアルゴリズムを説明するためのグラフの図である。
【図１４】画像データの白黒判定の動作を説明する図である。
【図１５】パッチデータの配置例の図である。
【図１６】実施例２の動作の説明のための図である。
【図１７】実施例３の動作の説明のための図である。
【図１８】実施例５の動作の説明のための図である。
【符号の説明】
【００４９】
４０１  CPU
４０２  RAM
４０３  操作部
４０４  スキャナ
４０５  IPU
４０１１  原稿サイズ検知部
４０１３  操作設定検知部
【図１】
2006345176.tif 000003
【図２】
2006345176.tif 000004
【図３】
2006345176.tif 000005
【図４】
2006345176.tif 000006
【図５】
2006345176.tif 000007
【図６】
2006345176.tif 000008
【図７】
2006345176.tif 000009
【図８】
2006345176.tif 000010
【図９】
2006345176.tif 000011
【図１０】
2006345176.tif 000012
【図１１】
2006345176.tif 000013
【図１２】
2006345176.tif 000014
【図１３】
2006345176.tif 000015
【図１４】
2006345176.tif 000016
【図１５】
2006345176.tif 000017
【図１６】
2006345176.tif 000018
【図１７】
2006345176.tif 000019
【図１８】
2006345176.tif 000020